(57)【要約】【課題】経時変化を気にすることなく最適かつ安定した給紙圧が得られるようにする。【解決手段】給紙板上に積層されている用紙の中から、その最上層の１枚だけを分離して下流側へと給紙、送出する給紙装置であって、その構成は、積層されている用紙の最上面に接触してその最上層の１枚だけを捌き板との間に挟み込んで下流側へと給紙、送出する給紙ローラ100 と、この給紙ローラの上流側に配置、設置されて、積層されている用紙の最上面に接触して押さえる補助給紙ローラ200 と、この補助給紙ローラに、上記給紙ローラの駆動力を、これらローラが同一方向に回転するように伝達するベルト300 と、このベルトの張りの強さを、上記補助給紙ローラ寄りの位置で、このローラに巻き込まれる側のベルトを外側から回転コロを押し付けて調整する張り調整機構400 とを有する。【選択図】図１
2007126271.tif 000002
【特許請求の範囲】
【請求項１】
給紙板上に積層されている用紙の中からその最上層の用紙１枚のみを分離して下流方向へと給送する給紙装置であって、次の各構成を有することを特徴とする給紙装置。
（イ）積層されている用紙の最上面に接触し、その最上層の１枚のみを捌き板との間に挟み込んで下流方向へと給送する給紙ローラ
（ロ）前記給紙ローラの上流側に配設されて積層されている用紙の最上面に接触する補助給紙ローラ
（ハ）前記給紙ローラの駆動力を、前記補助給紙ローラに、同一回転方向となるように伝達するベルト
（ニ）前記ベルトの張りの強さを、前記補助給紙ローラ寄りの位置で補助給紙ローラへ巻き込まれる側のベルトを外側から回転コロを押し付けて調整する張り調整機構
【請求項２】
前記張り調整機構は、張り調整用の回転コロと、この回転コロを、回転自在かつベルト押し付け方向に移動可能なように保持するコロ保持機構と、
手動回転させることにより前記回転コロを移動させて前記ベルトの張りの強さを調整する張り調整用つまみと、
を備えて成る請求項１記載の給紙装置。
【請求項３】
前記張り調整機構は、
その張り調整用つまみの手動回転により、この張り調整用つまみと直結する軸をその軸方向に移動させて、この軸の先端部分がコロ保持機構に常時当接する構造とすることにより前記回転コロを移動させる構造である
請求項２記載の給紙装置。
【請求項４】
前記張り調整機構は、
その張り調整用つまみと直結する軸の先端部分が常時コロ保持機構に当接するように、ばねを備えた構造である
請求項３記載の給紙装置。
【請求項５】
前記ベルトが歯付き構造のベルトであることを特徴とする請求項１乃至請求項４のいずれか１項に記載の給紙装置。
【発明の詳細な説明】
【技術分野】
【０００１】
本発明は給紙装置に関し、特に積層されている用紙の中からその最上層の１枚のみを分離して下流側へと給送する給紙装置に属する。
【背景技術】
【０００２】
家庭に配達される新聞には、異なる種類の広告類が１枚ずつ多数枚挿入されているのが一般的となっている。
このような、新聞の間に広告類を挟み込ませる給紙装置は、通常、積層されている同一種類の広告の中から、その最上層の１枚だけを分離して下流方向へと給送する部分を、複数段備えている。そして、その各段における構造は次のとおりとなっている。
【０００３】
傾斜角度が調整できる構造とした紙載台（１６：符号は後記特許文献１中の符号を参考までに付したものである。以下同じ）の前側の部分に対し、その下方に筐体（１３）、その上方に筐体（１３′）が設けられている。上方側の筐体（１３′）から垂れ下がるように形成されたブラケット（２２）に、軸（１２）で支えられた給紙ローラ（１１）を設け、この給紙ローラ（１１）の軸（１２）には、これを支点として揺動するアーム（２９）を揺動自在に軸で支え、揺動アーム（２９）の他方の端には、給紙ローラ（１１）と連動する補助ローラ（３１）を軸で支持し、これら２つのローラ（１１，３１）には、一方向クラッチ（３７，３７′）を内蔵させるととも、給紙ローラ軸（１２）には電磁クラッチ（２６）を、補助ローラ軸（３２）には、ブレーキ力が調整できるブレーキホイル（４８）を設け、そして、揺動アーム（２９）には、その揺動の支点の近傍に、支持ピン（５９）を取付け、上方側の筐体（１３′）に、上端を取付けた持上げスプリング（６１）を設けて、この下端を前記支持ピン（５９）に取付けて、持上げスプリング（６１）をもって調節可能に揺動アーム（２９）を吊持するようにした構造である。
【０００４】
この給紙装置では、例えばシリコンゴムローラ等で形成された給紙ローラ（１１）と、この給紙ローラ（１１）の周面に圧接しウレタンゴム等で形成された抑止片（３９）とを有し、この給紙ローラ（１１）と抑止片（３９）との間に複数枚の用紙が進入しても、給紙ローラと用紙、抑止片と用紙、用紙同士、のそれぞれの摩擦力の相違による作用によって、最上層の１枚のみが給送されるようになっている。
【０００５】
この給紙装置では、給紙ローラ（１１）に対し、用紙給送方向上流側に、補助ローラ（３１）が配置されており、この補助ローラ（３１）はベルトによって給紙ローラ（１１）から駆動力が伝達され、給紙ローラ軸（１２）を中心に回動可能な揺動アーム（２９）に支持されている。そして、この補助ローラ（３１）は用紙の束の上面に圧接することによって、用紙を給紙ローラ（１１）と抑止片（３９）との間に送り込む働きをする。
【０００６】
この補助ローラ（３１）が用紙の束の上面に圧接する圧接力、即ち給紙圧は調節可能となっている。それは、この給紙圧が大きすぎると用紙を送り込む力が過大となり、抑止片（３９）で次位以下の用紙の進行を阻止できずに重送してしまい、また、給紙圧が小さすぎると用紙を送り込むことができず、空送りになってしまい、また用紙を丁度１枚ずつ給送するのに最適な給紙圧は、用紙の厚さや紙質等によっても異なるので、積載された用紙に応じて調整できようになっている。
【０００７】
この給紙装置においては、補助ローラ軸（３２）に固定されたブレーキホイル（４８）の摩擦抵抗によって、揺動アーム（２９）は給紙ローラ軸（１２）を支点として給紙ローラ（１１）の回転方向に回動されることにより、補助ローラ（３１）は用紙の束の上面に当接することになる。
換言すると、補助ローラ軸（３２）に設けられたブレーキシューにブレーキを押し当てることにより、給紙圧を得ていた。給紙軸を駆動すると、ベルトによって補助給紙軸に駆動力が伝わるが、このときブレーキによる抵抗があると、この駆動力が、支持体を、給紙軸を中心に回動させるトルクとなり、この結果、補助給紙ローラが用紙の束の上面に接する。従って、ブレーキ力が強いほど、圧接力が強くなる（例えば、特許文献１参照）。
【特許文献１】実開昭５８−１０２５３３号公報（第３図、６頁〜８頁）
【発明の開示】
【発明が解決しようとする課題】
【０００８】
上述した背景技術における給紙装置では、ブレーキシューをバネによりブレーキホイルに押し当てているので、ブレーキシューがブレーキホイルから離していれば給紙圧はかからないが、接触した瞬間に比較的大きな給紙圧がかかるので、小さな給紙圧に調整することが困難であった。
【０００９】
このため、薄い用紙に適した圧に調整するのが難しく、重送してしまう傾向にあった。
また、ブレーキシューが摩耗するので、調整つまみ等を同じ位置に調整しても、得られる給紙圧が経時変化する、という問題点もあった。さらに、摩耗が進むと、交換が必要になる、というわずらわしさもあった。
【００１０】
本発明の目的は、このような問題点に鑑みてなされたものであって、経時変化を気にすることなく最適かつ安定した給紙圧が得られる給紙装置を提供することにある。
【課題を解決するための手段】
【００１１】
本発明の給紙装置は、給紙板上に積層されている用紙の中からその最上層の用紙１枚のみを分離して下流方向へと給送する給紙装置であって、次の各構成を有することを特徴とするものである。
（イ）積層されている用紙の最上面に接触し、その最上層の１枚のみを捌き板との間に挟み込んで下流方向へと給送する給紙ローラ
（ロ）前記給紙ローラの上流側に配設されて積層されている用紙の最上面に接触する補助給紙ローラ
（ハ）前記給紙ローラの駆動力を、前記補助給紙ローラに、同一回転方向となるように伝達するベルト
（ニ）前記ベルトの張りの強さを、前記補助給紙ローラ寄りの位置で補助給紙ローラへ巻き込まれる側のベルトを外側から回転コロを押し付けて調整する張り調整機構
【００１２】
また、前記張り調整機構は、張り調整用の回転コロと、この回転コロを、回転自在かつベルト押し付け方向に移動可能なように保持するコロ保持機構と、
手動回転させることにより前記回転コロを移動させて前記ベルトの張りの強さを調整する張り調整用つまみと、
を備えて成る前記給紙装置である。
【００１３】
更に、前記張り調整機構は、
その張り調整用つまみの手動回転により、この張り調整用つまみと直結する軸をその軸方向に移動させて、この軸の先端部分がコロ保持機構に常時当接する構造とすることにより前記回転コロを移動させる構造である
前記給紙装置である。
【００１４】
更にまた、前記張り調整機構は、
その張り調整用つまみと直結する軸の先端部分が常時コロ保持機構に当接するように、ばねを備えた構造である
前記給紙装置である。
【００１５】
また、前記ベルトが歯付き構造のベルトであることを特徴とする前項のいずれか１項に記載の給紙装置である。
【発明の効果】
【００１６】
本発明の給紙装置においては、積層されている用紙の最上面に接する給紙ローラと補助給紙ローラとがあり、これらローラの間はベルトにより結合されていて共に同一方向に回転するようになっており、しかも、このベルトの張りの強さを、その外側から、補助給紙ローラ寄りの位置で押し付けるようにして、手動つまみを回転させることにより調整する張り調整機構が設けられた構成となっているので、従来例のように摩耗する部分がないだけでなく、たとえ摩耗する部分があったとしても、これを気にすることなく、手動つまみを回転させることにより、極めて容易に、適正な給紙圧に調整することができて、安定した給紙圧を得ることができる、という効果がある。
【発明を実施するための最良の形態】
【００１７】
本発明を実施するための最良の形態は、給紙板上に積層されている用紙の中から、その最上層の１枚だけを分離して下流側へと給紙、送出する給紙装置であって、その構成は、積層されている用紙の最上面に接触してその最上層の１枚だけを捌き板との間に挟み込んで下流側へと給紙、送出する給紙ローラと、この給紙ローラの上流側に配置、設置されて、積層されている用紙の最上面に接触して押さえる補助給紙ローラと、この補助給紙ローラに、上記給紙ローラの駆動力を、これらローラが同一方向に回転するように伝達するベルトと、このベルトの張りの強さを、上記補助給紙ローラ寄りの位置で、この補助給紙ローラへ巻き込まれる側のベルトを外側から回転コロを押し付けて調整する張り調整機構と、を有して成り、更に、張り調整機構の詳細は次のとおりである。
【００１８】
この張り調整機構は、上記ベルトをその外側から押し付けながら回転する回転コロと、この回転コロを、回転自在でベルト押し付け方向に移動可能なように保持するコロ保持機構と、手動回転させることにより上記回転コロを移動させ、上記ベルトの張りの強さを調整する張り調整用つまみと、を備えて構成される。
【００１９】
そして、この張り調整機構は、張り調整用つまみを手動回転させることにより、この張り調整用つまみと直結する軸をその軸方向に移動させて、この軸の先端が上記コロ保持機構に常に当接して、このコロ保持機構を移動させることにより上記回転コロを移動させ、ベルトを押し付けてその張りを調整するようになっている。
なお、上記ベルトは、歯付きベルトとするのが良く、この歯付きベルトにより、給紙ローラの駆動力を補助給紙ベルトに伝達する構造とする。
【実施例１】
【００２０】
次に本発明の実施例について図面を参照して説明する。
図１（ａ），（ｂ）は本発明の実施例１を説明するための、給紙装置全体を示す側面図、及びその本発明に関与する主要部分の上面図、図２（ａ），（ｂ）は給紙装置主要部分の構造を示す上面図及び下面図、図３（ａ）〜（ｃ）は給紙装置主要部分の詳細な構造を示す上面図とそのＡ−Ａ矢視図及びＢ−Ｂ矢視図、図４（ａ），（ｂ）はベルトの張りの強い状態と弱い状態とを示すＢ−Ｂ矢視図である。
この実施例１における給紙装置は、給紙板８１０上に積層されている用紙９１０（用紙束９００）の中からその最上層の用紙（９１０）１枚のみを分離して下流方向へと給紙、送出するための給紙装置であって、その構成は次のとおりである。
【００２１】
給紙板８１０上に積層されている用紙９１０の最上面に接触してその最上層の１枚だけを捌き板８２０との間に挟み込んで排出機構８３０が配設されている下流方向へと給紙、送出する給紙ローラ１００と、この給紙ローラ１００の上流側に配置、設置されて積層されている用紙９１０の最上面に接触して押さえる補助給紙ローラ２００と、この補助給紙ローラ２００に、給紙ローラ１００の駆動力を、これらローラ（１００，２００）が同一の回転方向となるように伝達するベルト３００と、このベルト３００の張りの強さを、補助給紙ローラ２００寄りの位置でこのローラに巻き込まれる側のベルトを外側から押し付けて調整する手動つまみ回転型の張り調整機構４００と、を有している。
【００２２】
この給紙装置における張り調整機構４００について更に詳しく説明すると、この張り調整機構４００は、ベルト３００をその補助給紙ローラに巻き込ませる側のベルトを外側から押し付けながらベルト３００の動きに応じて回転する張り調整用コロ４１０（回転コロ）と、この張り調整用コロ４１０を、回転自在に、かつ、ベルト３００の押し付け方向に移動可能なように保持する張り調整用枠体４３０と、手動回転により、張り調整用コロ４１０を移動させてベルト３００の張りの強さを調整する張り調整用つまみ４２０と、を備えている。この張り調整用つまみ４２０は、給紙ローラ１００及び補助給紙ローラ２００をそれぞれの軸（１１０，２１０）で回転自在に保持する主筐体５００の外側から手動回転させることができ、この回転により、張り調整用つまみ４２０に連結する軸（張り調整用軸４５０）をその軸方向に移動させてこの軸（４５０）の先端が張り調整用枠体４３０に常時当接してこれを移動させて張り調整用コロ４１０を移動させ、ベルト３００の張りの強さを調整するようになっている。
【００２３】
なお、張り調整用つまみを逆転（ベルト３００の張りの強さが弱くなる方向に回転）させたとき、張り調整用コロ４１０を張りの弱い方向に移動させるために、即ち軸（４５０）の先端が常に張り調整用枠体４３０に当接するように、ばね４４０が設けられている。
【００２４】
また、この給紙装置において、ベルト３００は歯付きベルトとするのが良く、当然のことながら、その相手方のローラも歯付き構造となる。歯付き構造とすることにより、ベルトの張りを緩めにしても確実に動力を伝達できるので、調整のための自由度が高くなる。また、相互間の噛み合いによって、ベルト・ローラ間のくさび効果により、張りを強くしたときのトルクを増大させる効率を高めることができる。
【実施例２】
【００２５】
図５は本発明の実施例２を説明するための給紙装置主要部分のＢ−Ｂ矢視方向からの側面図である。
この実施例２においては、補助給紙ローラ２００が上方に移動する方向に主筐体５００を回転させる方向に付勢するように、バネ６００を設け、このバネ６００と主筐体５００との結節点と給紙ローラ軸１１０の中心とを結ぶ直線と、バネ６００とのなす角が５０°〜６５°であることとする。
【００２６】
その理由は、この給紙装置はその性質上、補助給紙ローラ２００とその支持体（主筐体５００等）の自重も給紙圧として作用する。しかし、支持体の角度が用紙の残量によって変わるので、支持体の角度変化によって用紙束にかかる自重が変化する。用紙は残量が変わっても紙質は同じであるので、用紙残量の変化に伴って給紙圧が変化するのは好ましくない。
そこで、支持体をバネで吊り上げて、補助給紙ローラ２００と支持体の自重を相殺している。支持体が回動するとバネとの角度関係が変わるから、支持体にかかるバネの引っ張り力のうち、自重を相殺する方向に働く成分は支持体の回動角度によって変化するし、かつ補助給紙ローラを通して用紙にかかる支持体の自重も、支持体の回動角度によって異なる。
支点と作用点との距離が変化しても、常に作用点に対し同一の引張力が得られるバネとして、ゼンマイ状に巻いた金属板を引き出すように構成した定荷重バネがある。しかし、本給紙装置においては、バネを掛ける位置と角度をどのように設定しても、支持体の回動によって、支持体の自重を相殺する力のバネ方向の成分は変化するから、定荷重バネではこの変化に対応することができず、相殺効果は十分でない。
そこで本実施例では、コイルバネを使用して、用紙にかかる支持体の自重が回動によって変化しても、このコイルバネの引張力の変化により相殺する位置関係を見出すことで、完全相殺に近い効果が得られる。
このような位置関係として、この実施例２では、本給紙装置に最適な角度を上記のごとく見出したものである。
【００２７】
また、補助給紙ローラ２００の周速は、給紙ローラ１００の周速よりも約１５％遅い。
補助給紙ローラ側にはワンウェイクラッチが入っているので、用紙は給紙ローラに引っ張られて、補助給紙ローラは用紙と転動して回転するようになる。
そのわけは、給紙ローラと補助給紙ローラとの周速差が無い（又は小さい）場合の不具合として、給紙ローラは捌き板との間で用紙を挟持するため、その挟持圧（捌き圧）が強いと、用紙と給紙ローラとの間でスリップが発生する。スリップしている間にも補助給紙ローラによって用紙が送り込まれるので、用紙が補助給紙ローラと給紙ローラとの間でたわみ、用紙が座屈して折れてしまったり、紙づまりを起こしたりする。
【００２８】
これを防ぐために、１５％程度の周速差を持たせると良いことを見出したので、実施例の中に記載しておく。
なお、この実施例２における上記以外の構成、構造は、前述の実施例１と同様である。
【図面の簡単な説明】
【００２９】
【図１】本発明の実施例１を説明するための給紙装置全体を示す側面図、及びその本発明に関与する主要部分の上面図である。
【図２】図１に示された給紙装置の主要部分の構造を示す上面図及び下面図である。
【図３】図１に示された給紙装置の主要部分の詳細な構造を示す上面図とそのＡ−Ａ矢視図及びＢ−Ｂ矢視図である。
【図４】図１に示された給紙装置におけるベルトの張りの強さの強い状態及び弱い状態を示すＢ−Ｂ矢視図である。
【図５】本発明の実施例２を説明するための給紙装置主要部分のＢ−Ｂ矢視図である。
【符号の説明】
【００３０】
１００  給紙ローラ
１１０  給紙ローラ軸
２００  補助給紙ローラ
２１０  補助給紙ローラ軸
３００  ベルト
４００  張り調整機構
４１０  張り調整用コロ
４２０  張り調整用つまみ
４３０  張り調整用枠体
４４０  ばね
４５０  張り調整用軸
５００  主筐体
６００  バネ
８１０  給紙板
８２０  捌き板
８３０  排出機構
９００  用紙束
９１０  用紙
【図１】
2007126271.tif 000003
【図２】
2007126271.tif 000004
【図３】
2007126271.tif 000005
【図４】
2007126271.tif 000006
【図５】
2007126271.tif 000007